(57)【要約】【課題】太陽光発電パネルの設置作業を容易に行うことができるようにする。【解決手段】支持架台（12）における傾斜方向の下側には、２本の補強部材（17）に跨がって立設する板状の規制部（19）が設けられている。支持架台（12）における傾斜方向に直交する幅方向の両側には、桟部材（15）の端部を上方に折り曲げることで形成された規制部（19）がそれぞれ設けられている。規制部（19）は、太陽光発電パネル（11）の外縁部に当接するように突出して太陽光発電パネル（11）の移動を規制する。【選択図】図２
2016127666.tif 000002
【特許請求の範囲】
【請求項１】
太陽光発電パネル（11）と、該太陽光発電パネル（11）を水平方向に対して傾斜した姿勢で支持する支持架台（12）とを備えた太陽光パネルユニットであって、
前記支持架台（12）は、前記太陽光発電パネル（11）の傾斜方向に沿って延びる回転軸（S）周りに回動可能に構成され、
前記支持架台（12）における傾斜方向の下側と、該支持架台（12）における傾斜方向に直交する幅方向の少なくとも一方側には、前記太陽光発電パネル（11）の外縁部に当接するように突出して該太陽光発電パネル（11）の移動を規制する規制部（19）がそれぞれ設けられていることを特徴とする太陽光パネルユニット。
【請求項２】
請求項１において、
前記太陽光発電パネル（11）を支持する前の前記支持架台（12）の重心は、前記回転軸（S）よりも下方に位置する一方、該太陽光発電パネル（11）を支持した後の該支持架台（12）の重心は、該回転軸（S）よりも上方に位置していることを特徴とする太陽光パネルユニット。
【請求項３】
請求項１又は２において、
前記支持架台（12）を前記回転軸（S）周りに傾けた姿勢で固定する固定治具（30）を備えたことを特徴とする太陽光パネルユニット。
【請求項４】
請求項１又は２に記載の太陽光パネルユニットの設置方法であって、
前記支持架台（12）を所定の設置場所に設置する設置工程と、
前記支持架台（12）に前記太陽光発電パネル（11）を載置する載置工程と、
前記太陽光発電パネル（11）の自重によって前記回転軸（S）周りに前記支持架台（12）を傾けることで、該太陽光発電パネル（11）の外縁部を前記規制部（19）に当接させて仮保持する仮保持工程と、
前記仮保持工程で仮保持されている前記太陽光発電パネル（11）を前記支持架台（12）に取り付ける取付工程とを備えたことを特徴とする太陽光パネルユニットの設置方法。
【請求項５】
請求項３に記載の太陽光パネルユニットの設置方法であって、
前記支持架台（12）を所定の設置場所に設置する設置工程と、
前記固定治具（30）を用いて前記支持架台（12）を前記回転軸（S）周りに傾けた姿勢で固定する固定工程と、
前記固定工程で傾けられた前記支持架台（12）に前記太陽光発電パネル（11）を載置することで、該太陽光発電パネル（11）の外縁部を前記規制部（19）に当接させて仮保持する仮保持工程と、
前記仮保持工程で仮保持されている前記太陽光発電パネル（11）を前記支持架台（12）に取り付ける取付工程とを備えたことを特徴とする太陽光パネルユニットの設置方法。
【請求項６】
請求項１又は２に記載の太陽光パネルユニットを複数設置するための太陽光パネルユニットの設置方法であって、
前記複数の支持架台（12）のうち少なくとも１つには、該支持架台（12）を前記回転軸（S）周りに回動させる空気圧式のアクチュエータ（50）が設けられており、
前記複数の支持架台（12）を所定の設置場所に設置する設置工程と、
前記アクチュエータ（50）の動作に連動して前記複数の支持架台（12）が前記回転軸（S）周りに回動するように、連結ロッド（26）を用いて該支持架台（12）同士を連結する連結工程と、
前記アクチュエータ（50）の空気の給排口（51a,51b）を閉塞する閉塞工程と、
前記支持架台（12）に前記太陽光発電パネル（11）を載置することで、該太陽光発電パネル（11）の外縁部を前記規制部（19）に当接させて仮保持する仮保持工程と、
前記仮保持工程で仮保持されている前記太陽光発電パネル（11）を前記支持架台（12）に取り付ける取付工程とを備えたことを特徴とする太陽光パネルユニットの設置方法。
【発明の詳細な説明】
【技術分野】
【０００１】
本発明は、太陽光パネルユニット及び太陽光パネルユニットの設置方法に関するものである。
【背景技術】
【０００２】
従来より、太陽パネルが揺動可能に支持された太陽パネルユニットが知られている。例えば、特許文献１の太陽パネルユニットは、設置部に固定される架台を有し、この架台の上端部に太陽パネルが支持されている。具体的に、太陽パネルの背面部と架台の上端部とは、軸部を介して互いに連結されている。これにより、太陽パネルは、軸部の軸心を中心として傾きが変更可能に架台に支持される。
【先行技術文献】
【特許文献】
【０００３】
【特許文献１】特開２０１２−１１７２７３号公報
【発明の概要】
【発明が解決しようとする課題】
【０００４】
ところで、特許文献１に記載の太陽パネルユニットを設置現場に設置する場合には、以下のような手順で作業が行われていた。
【０００５】
まず、工場等において、太陽パネルの背面部に軸部を介して架台を連結し、太陽パネルユニットを製造する。次に、この太陽パネルユニットを設置現場へ移送し、太陽パネルユニットを設置現場に固定する。なお、この架台には、例えば下端部にテーパ状の先端部が形成された杭が設けられる。このため、このような設置作業では、作業者が太陽パネルを支えた状態で、架台の下端部を地面に差し込む。これにより、設置現場に架台が固定され、この架台の上方に太陽パネルが支持されることになる。
【０００６】
このように、従来例の太陽パネルユニットでは、設置作業において、太陽パネルを持ち上げながら架台を設置する必要がある。このため、このような設置作業が煩雑となり、作業工数が増えてしまうという問題があった。
【０００７】
本発明は、かかる点に鑑みてなされたものであり、その目的は、太陽光発電パネルの設置作業を容易に行うことができるようにすることにある。
【課題を解決するための手段】
【０００８】
本発明は、太陽光発電パネル（11）と、該太陽光発電パネル（11）を水平方向に対して傾斜した姿勢で支持する支持架台（12）とを備えた太陽光パネルユニットを対象とし、次のような解決手段を講じた。
【０００９】
すなわち、第１の発明は、前記支持架台（12）は、前記太陽光発電パネル（11）の傾斜方向に沿って延びる回転軸（S）周りに回動可能に構成され、
前記支持架台（12）における傾斜方向の下側と、該支持架台（12）における傾斜方向に直交する幅方向の少なくとも一方側には、前記太陽光発電パネル（11）の外縁部に当接するように突出して該太陽光発電パネル（11）の移動を規制する規制部（19）がそれぞれ設けられていることを特徴とするものである。
【００１０】
第１の発明では、支持架台（12）における傾斜方向の下側と、支持架台（12）における傾斜方向に直交する幅方向の少なくとも一方側とに規制部（19）が設けられる。規制部（19）は、太陽光発電パネル（11）の外縁部に当接するように突出している。
【００１１】
このような構成とすれば、太陽光発電パネル（11）を支持架台（12）に載置したときに、太陽光発電パネル（11）の外縁部が規制部（19）に当接して移動が規制されるので、太陽光発電パネル（11）が支持架台（12）から滑り落ちないように作業者が常に支えておく必要が無く、設置作業を容易に行うことができる。
【００１２】
第２の発明は、第１の発明において、
前記太陽光発電パネル（11）を支持する前の前記支持架台（12）の重心は、前記回転軸（S）よりも下方に位置する一方、該太陽光発電パネル（11）を支持した後の該支持架台（12）の重心は、該回転軸（S）よりも上方に位置していることを特徴とするものである。
【００１３】
第２の発明では、太陽光発電パネル（11）を支持する前の支持架台（12）の重心が回転軸（S）よりも下方に位置しているので、支持架台（12）を水平姿勢で安定させることができる。また、太陽光発電パネル（11）を支持した後の支持架台（12）の重心が回転軸（S）よりも上方に位置しているので、支持架台（12）を太陽光発電パネル（11）の自重で回動させて、太陽光発電パネル（11）の設置作業を行いやすい姿勢に支持架台（12）を維持することができる。
【００１４】
第３の発明は、第１又は第２の発明において、
前記支持架台（12）を前記回転軸（S）周りに傾けた姿勢で固定する固定治具（30）を備えたことを特徴とするものである。
【００１５】
第３の発明では、固定治具（30）を用いて、支持架台（12）を回転軸（S）周りに傾けた姿勢で固定することで、太陽光発電パネル（11）の設置作業を行いやすい姿勢に支持架台（12）を維持することができる。
【００１６】
第４の発明は、第１又は第２の発明の太陽光パネルユニットの設置方法を対象とし、
前記支持架台（12）を所定の設置場所に設置する設置工程と、
前記支持架台（12）に前記太陽光発電パネル（11）を載置する載置工程と、
前記太陽光発電パネル（11）の自重によって前記回転軸（S）周りに前記支持架台（12）を傾けることで、該太陽光発電パネル（11）の外縁部を前記規制部（19）に当接させて仮保持する仮保持工程と、
前記仮保持工程で仮保持されている前記太陽光発電パネル（11）を前記支持架台（12）に取り付ける取付工程とを備えたことを特徴とするものである。
【００１７】
第４の発明では、太陽光発電パネル（11）を支持架台（12）に載置させ、太陽光発電パネル（11）の自重によって支持架台（12）を傾けて規制部（19）に当接させることで仮保持した後で、太陽光発電パネル（11）を支持架台（12）に取り付けるようにしている。
【００１８】
このような手順で太陽光発電パネル（11）を支持架台（12）に載置することで、太陽光発電パネル（11）が支持架台（12）から滑り落ちないように作業者が常に支えておく必要が無く、設置作業を容易に行うことができる。
【００１９】
第５の発明は、第３の発明の太陽光パネルユニットの設置方法を対象とし、
前記支持架台（12）を所定の設置場所に設置する設置工程と、
前記固定治具（30）を用いて前記支持架台（12）を前記回転軸（S）周りに傾けた姿勢で固定する固定工程と、
前記固定工程で傾けられた前記支持架台（12）に前記太陽光発電パネル（11）を載置することで、該太陽光発電パネル（11）の外縁部を前記規制部（19）に当接させて仮保持する仮保持工程と、
前記仮保持工程で仮保持されている前記太陽光発電パネル（11）を前記支持架台（12）に取り付ける取付工程とを備えたことを特徴とするものである。
【００２０】
第５の発明では、固定治具（30）を用いて支持架台（12）を傾けた姿勢で固定し、太陽光発電パネル（11）を支持架台（12）に載置させて規制部（19）に当接させることで仮保持した後で、太陽光発電パネル（11）を支持架台（12）に取り付けるようにしている。
【００２１】
このような手順で太陽光発電パネル（11）を支持架台（12）に載置することで、太陽光発電パネル（11）が支持架台（12）から滑り落ちないように作業者が常に支えておく必要が無く、設置作業を容易に行うことができる。
【００２２】
第６の発明は、第１又は第２の発明の太陽光パネルユニットを複数設置するための太陽光パネルユニットの設置方法を対象とし、
前記複数の支持架台（12）のうち少なくとも１つには、該支持架台（12）を前記回転軸（S）周りに回動させる空気圧式のアクチュエータ（50）が設けられており、
前記複数の支持架台（12）を所定の設置場所に設置する設置工程と、
前記アクチュエータ（50）の動作に連動して前記複数の支持架台（12）が前記回転軸（S）周りに回動するように、連結ロッド（26）を用いて該支持架台（12）同士を連結する連結工程と、
前記アクチュエータ（50）の空気の給排口（51a,51b）を閉塞する閉塞工程と、
前記支持架台（12）に前記太陽光発電パネル（11）を載置することで、該太陽光発電パネル（11）の外縁部を前記規制部（19）に当接させて仮保持する仮保持工程と、
前記仮保持工程で仮保持されている前記太陽光発電パネル（11）を前記支持架台（12）に取り付ける取付工程とを備えたことを特徴とするものである。
【００２３】
第６の発明では、複数の太陽光パネルユニットを設置するのにあたって、まず、複数の支持架台（12）同士を連結ロッド（26）で連結させ、アクチュエータ（50）の空気の給排口（51a,51b）を閉塞させる。そして、太陽光発電パネル（11）を支持架台（12）に載置させて規制部（19）に当接させることで仮保持した後で、太陽光発電パネル（11）を支持架台（12）に取り付けるようにしている。
【００２４】
このような手順で太陽光発電パネル（11）を支持架台（12）に載置することで、アクチュエータ（50）の空気バネ作用によって、支持架台（12）を水平姿勢に維持することができるとともに、太陽光発電パネル（11）が支持架台（12）から滑り落ちないように作業者が常に支えておく必要が無く、設置作業を容易に行うことができる。
【発明の効果】
【００２５】
本発明によれば、太陽光発電パネル（11）を支持架台（12）に載置したときに、太陽光発電パネル（11）の外縁部が規制部（19）に当接するので、太陽光発電パネル（11）が支持架台（12）から滑り落ちないように作業者が常に支えておく必要が無く、設置作業を容易に行うことができる。
【図面の簡単な説明】
【００２６】
【図１】本実施形態１に係る太陽光パネルユニットの構成を示す正面図である。
【図２】支持架台を傾けた状態を示す正面図である。
【図３】太陽光発電パネルを支持架台に載置した状態を示す正面図である。
【図４】クランプ部材の構成を示す斜視図である。
【図５】太陽光発電パネルをクランプ部材を用いて桟部材に固定した状態を示す斜視図である。
【図６】支持架台を傾けて杭の上端に当接させた状態を示す正面図である。
【図７】本実施形態２に係る太陽光パネルユニットにおいて、固定治具として重量部材を用いたときの正面図である。
【図８】固定治具としてＵ字状部材を用いたときの正面図である。
【図９】固定治具としてロープ部材を用いたときの正面図である。
【図１０】本実施形態３に係る太陽光パネルユニットの構成を示す正面図である。
【図１１】複数の太陽光パネルユニットを備えた太陽光発電システムの構成を示す正面図である。
【発明を実施するための形態】
【００２７】
以下、本発明の実施形態を図面に基づいて説明する。なお、以下の好ましい実施形態の説明は、本質的に例示に過ぎず、本発明、その適用物或いはその用途を制限することを意図するものではない。
【００２８】
《実施形態１》
図１〜図３に示すように、太陽光パネルユニット（10）は、太陽光発電パネル（11）と、太陽光発電パネル（11）を回転軸（S）周りに回動自在に支持する支持架台（12）とを有している。
【００２９】
太陽光発電パネル（11）は、略板状に形成され、上面が太陽光の受光面（11a）に構成されている。太陽光発電パネル（11）は、太陽光を受光面（11a）に受けることによって直流電力を発生するように構成されている。太陽光発電パネル（11）は、水平方向に対し、南北方向において北側ほど高くなるように傾斜した姿勢で、支持架台（12）に支持されている。
【００３０】
支持架台（12）は、回動部材（13）と、支持部材（14）とを有する。太陽光発電パネル（11）は、回動部材（13）に固定されている。回動部材（13）は、太陽光発電パネル（11）の幅方向の中央部において南北方向に延びる回転軸（S）周りに回動自在に構成されている。
【００３１】
具体的に、回動部材（13）は、太陽光発電パネル（11）に固定された２本の桟部材（15）と、桟部材（15）にそれぞれ固定された軸部材（16）と、２本の桟部材（15）同士を連結する２本の補強部材（17）と、補強部材（17）の下端部に設けられたリンク部材（25）とを有する。
【００３２】
２本の桟部材（15）は、太陽光発電パネル（11）の受光面（11a）の裏面に固定され、裏面に沿って太陽光発電パネル（11）の幅方向（回転軸（S）に直交する方向）に延びている。２本の桟部材（15）は、平行に設けられている。２本の補強部材（17）は、太陽光発電パネル（11）の幅方向に間隔をあけて平行に設けられている。
【００３３】
リンク部材（25）は、板状の部材によって形成されており、２本の補強部材（17）に跨がって立設した後述する板状の規制部（19）に固定される。リンク部材（25）の先端は、太陽光発電パネル（11）に対して概ね垂直に下向きに延びている。
【００３４】
軸部材（16）は、軸部（16a）と、軸部（16a）の基端部を支持する基台部（16b）とをそれぞれ有している。軸部（16a）は、略円柱形状に形成され、各桟部材（15）の対向する側面に沿って延びる基台部（16b）から基台部（16b）に略垂直な方向に突出している。
【００３５】
基台部（16b）は、軸部（16a）の軸心が太陽光発電パネル（11）の幅方向の中央に位置するように、桟部材（15）に固定されている。本実施形態では、軸部材（16）の軸部（16a）の軸心が回転軸（S）となる。
【００３６】
ここで、太陽光発電パネル（11）を支持する前の支持架台（12）の回動部材（13）の重心は、回転軸（S）よりも下方に位置している。これにより、支持架台（12）を水平姿勢で安定させることができる。
【００３７】
一方、太陽光発電パネル（11）を支持した後の支持架台（12）の回動部材（13）の重心は、回転軸（S）よりも上方に位置している。これにより、回動部材（13）を太陽光発電パネル（11）の自重で回動させて、太陽光発電パネル（11）の設置作業を行いやすい姿勢に回動部材（13）を維持することができる。
【００３８】
支持部材（14）は、上端部に設けられる支持台部（18）と、支持台部（18）の下端から下方に向かって延びる支柱（20）とを有している。支持台部（18）は、太陽光発電パネル（11）の傾斜方向に延びる鋼材であり、上面の両端から略垂直に上方に立ち上がる２つの起立部（18a）を有している。起立部（18a）は、２つの軸部材（16）の軸部（16a）を回転可能に支持している。これにより、太陽光発電パネル（11）が支持架台（12）に、回転軸（S）周りに回動自在に支持されている。
【００３９】
支柱（20）は、支持台部（18）の下方に固定される円筒形状の鋼材であり、下端部が地中に埋設される。支持部材（14）は、支柱（20）の下端を、地中に埋設し、その周囲をモルタル等で固めることにより、位置が固定される。
【００４０】
ここで、支持架台（12）を所定の設置場所に設置した後で、支持架台（12）に太陽光発電パネル（11）を載置させて固定するためには、太陽光発電パネル（11）が支持架台（12）から滑り落ちないように作業者が常に支えておく必要があり、設置作業が煩雑であるという問題がある。
【００４１】
そこで、本実施形態では、支持架台（12）における傾斜方向の下側と、支持架台（12）における傾斜方向に直交する幅方向の両側とに、太陽光発電パネル（11）の外縁部に当接するように突出して太陽光発電パネル（11）の移動を規制する規制部（19）をそれぞれ設けるようにしている。
【００４２】
具体的に、補強部材（17）の傾斜方向の下側には、２本の補強部材（17）に跨がって立設する板状の規制部（19）が設けられている。また、桟部材（15）の幅方向の両側には、桟部材（15）の端部を上方に折り曲げることで形成された規制部（19）がそれぞれ設けられている。
【００４３】
このような構成とすれば、太陽光発電パネル（11）を支持架台（12）の回動部材（13）に載置したときに、太陽光発電パネル（11）の外縁部が規制部（19）に当接して移動が規制されるので、太陽光発電パネル（11）が支持架台（12）から滑り落ちないように作業者が常に支えておく必要が無く、設置作業を容易に行うことができる。
【００４４】
（太陽光パネルユニットの設置方法）
太陽光パネルユニット（10）は、以下のような設置工程、載置工程、仮保持工程、及び取付工程を順に行うことによって、設置される。
【００４５】
〈設置工程〉
設置工程では、図１に示すように、設置現場の地中に支柱（20）を埋設することで支持架台（12）を設置する。
【００４６】
〈載置工程〉
載置工程では、設置工程で設置された支持架台（12）の桟部材（15）に太陽光発電パネル（11）を載置する。このとき、支持架台（12）の回転軸（S）は、南北方向において北側ほど高くなるように傾斜しているので、太陽光発電パネル（11）は、桟部材（15）に沿って傾斜方向の下側（南側）に移動する。これにより、太陽光発電パネル（11）の外縁部は、補強部材（17）の下端部に立設した規制部（19）に当接する。
【００４７】
〈仮保持工程〉
仮保持工程では、図２及び図３に示すように、太陽光発電パネル（11）の自重によって回転軸（S）周りに支持架台（12）を傾ける。図２及び図３に示す例では、支持架台（12）の回動部材（13）を西側に傾けている。これにより、太陽光発電パネル（11）が桟部材（15）に沿って西側に移動し、太陽光発電パネル（11）の外縁部が桟部材（15）の西側（図２で左側）の規制部（19）に当接することで、太陽光発電パネル（11）を支持架台（12）に仮保持する。
【００４８】
〈取付工程〉
取付工程では、仮保持工程で仮保持されている太陽光発電パネル（11）を支持架台（12）に取り付ける。具体的には、図４に示すクランプ部材（21）を用いる。
【００４９】
クランプ部材（21）は、断面コ字状に折り曲げられた板状の部材で構成されている。そして、クランプ部材（21）の上側板（21a）の先端部には、締結ナット（22）が溶接固定されている。クランプ部材（21）の下側板（21b）の先端部には、締結ナット（22）に対応する位置に挿通孔（21c）が形成されている。
【００５０】
図５に示すように、太陽光発電パネル（11）の下面の周縁部には、フレーム枠（23）が設けられている。フレーム枠（23）は、内周側が開口した断面コ字状の部材で構成されている。フレーム枠（23）には、挿通孔（図示省略）が形成されている。
【００５１】
南側に配設されている桟部材（15）は、南側が開口した断面コ字状の部材で構成されている。桟部材（15）の上面には、フレーム枠（23）の挿通孔に対応する位置に挿通孔（図示省略）が形成されている。桟部材（15）の下面には、挿通孔に対応する位置に貫通孔（15a）が形成されている。
【００５２】
そして、太陽光発電パネル（11）のフレーム枠（23）を桟部材（15）に載置させ、互いの挿通孔の位置を合わせた状態で、クランプ部材（21）によってフレーム枠（23）と桟部材（15）とを挟み込む。このとき、クランプ部材（21）の締結ナット（22）は、フレーム枠（23）側に隠れるように配置されている。
【００５３】
さらに、桟部材（15）の貫通孔（15a）から締結ボルト（24）を差し込むことで、締結ボルト（24）を桟部材（15）及びフレーム枠（23）の挿通孔に挿通させて、クランプ部材（21）の締結ナット（22）に締結させる。これにより、太陽光発電パネル（11）が桟部材（15）に取り付けられる。なお、桟部材（15）の貫通孔（15a）は、締結ボルト（24）を差し込むためだけに形成された孔であるため、貫通孔（15a）を形成する代わりに、桟部材（15）の下面の一部を切り欠いた形状としてもよい。
【００５４】
このような手順で太陽光発電パネル（11）を支持架台（12）に載置することで、太陽光発電パネル（11）が支持架台（12）から滑り落ちないように作業者が常に支えておく必要が無く、設置作業を容易に行うことができる。
【００５５】
なお、本実施形態では、太陽光発電パネル（11）の自重によって支持架台（12）の回動部材（13）を最大角度まで回動させるようにしているが、図６に示すように、地中に予め別の杭（35）を打ち込んでおき、支持架台（12）が傾いたときに、杭（35）の上端に桟部材（15）を当接させるようにしてもよい。このようにすれば、杭（35）の高さを調整することで、作業者が設置作業を行いやすい角度となるように、支持架台（12）の傾斜角度を調整することができる。
【００５６】
《実施形態２》
以下、前記実施形態１と同じ部分については同じ符号を付し、相違点についてのみ説明する。
【００５７】
（太陽光パネルユニットの設置方法）
太陽光パネルユニット（10）は、以下のような設置工程、固定工程、仮保持工程、及び取付工程を順に行うことによって、設置される。
【００５８】
〈設置工程〉
設置工程では、図７に示すように、設置現場の地中に支柱（20）を埋設することで支持架台（12）を設置する。
【００５９】
〈固定工程〉
固定工程では、固定治具（30）を用いて支持架台（12）を回転軸（S）周りに傾けた姿勢で固定する。具体的に、固定治具（30）は、桟部材（15）の幅方向の一端部（図７に示す例では、西側の端部）に吊り下げられた重量部材（31）で構成されている。これにより、支持架台（12）の回動部材（13）は、西側に傾いた姿勢で固定される。
【００６０】
〈仮保持工程〉
仮保持部では、固定工程で傾けられた支持架台（12）に太陽光発電パネル（11）を載置することで、太陽光発電パネル（11）が桟部材（15）に沿って西側に移動し、太陽光発電パネル（11）の外縁部が桟部材（15）の西側の規制部（19）に当接する。また、支持架台（12）の回転軸（S）は、南北方向において北側ほど高くなるように傾斜しているので、太陽光発電パネル（11）は、桟部材（15）に沿って傾斜方向の下側（南側）に移動し、太陽光発電パネル（11）の外縁部が補強部材（17）の下端部に立設した規制部（19）に当接する。これにより、太陽光発電パネル（11）を支持架台（12）に仮保持する。
【００６１】
〈取付工程〉
取付工程では、仮保持工程で仮保持されている太陽光発電パネル（11）を支持架台（12）に取り付ける。具体的な取付構造については、前記実施形態１と同様である。
【００６２】
このような手順で太陽光発電パネル（11）を支持架台（12）に載置することで、太陽光発電パネル（11）が支持架台（12）から滑り落ちないように作業者が常に支えておく必要が無く、設置作業を容易に行うことができる。
【００６３】
なお、本実施形態では、固定治具（30）の一例として、重量部材（31）を桟部材（15）に吊り下げるようにした形態について説明したが、この形態に限定するものではない。
【００６４】
例えば、図８に示すように、固定治具（30）として、下方が開口するように折り曲げられたＵ字状部材（32）を用意し、桟部材（15）の幅方向の端部にＵ字状部材（32）を引っ掛けるとともに、Ｕ字状部材（32）の先端部を地中に埋め込むことで、支持架台（12）を回転軸（S）周りに傾けた姿勢で固定するようにしてもよい。
【００６５】
また、図９に示すように、固定治具（30）として、一端が桟部材（15）に巻き付けられ、他端が支柱（20）に巻き付けられたロープ部材（33）を用意し、ロープ部材（33）によって桟部材（15）を支柱（20）側に引っ張ることで、支持架台（12）を回転軸（S）周りに傾けた姿勢で固定するようにしてもよい。
【００６６】
また、図６で説明したような別の杭（35）を予め地中に埋め込んでおき、桟部材（15）と杭（35）とを連結させることで、支持架台（12）を回転軸（S）周りに傾けた姿勢で固定するようにしてもよい。
【００６７】
《実施形態３》
図１０は、本実施形態３に係る太陽光パネルユニットの構成を示す正面図である。図１０に示すように、太陽光パネルユニット（10）は、後述するアクチュエータ機構（40）が設けられてアクチュエータ（50）によって太陽光発電パネル（11）が回転軸（S）周りに回動するように駆動される。
【００６８】
そして、図１１に示すように、アクチュエータ機構（40）が設けられた第１太陽光パネルユニット（10a）と、アクチュエータ機構（40）が設けられていない第２太陽光パネルユニット（10b）とが、連結ロッド（26）によって互いに連結されている。
【００６９】
連結ロッド（26）は、それぞれのリンク部材（25）同士を連結する円管状の部材である。それぞれの連結ロッド（26）は、リンク部材（25）の下端付近に、回転自在にピン連結されている。第１太陽光パネルユニット（10a）において、太陽光発電パネル（11）が揺動すると、この太陽光発電パネル（11）とともに、リンク部材（25）が回転軸（S）周りに揺動し、連結ロッド（26）が東西方向に変位する。その結果、それぞれの第２太陽光パネルユニット（10b）においても太陽光発電パネル（11）が揺動する。
【００７０】
なお、第１太陽光パネルユニット（10a）と第２太陽光パネルユニット（10b）とは、アクチュエータ（50）を含むアクチュエータ機構（40）を有するか否かを除いては実質的に同じように構成されている。
【００７１】
複数の太陽光パネルユニット（10）は、東西方向に一直線上に並ぶ設置位置に、互いの太陽光発電パネル（11）の回転軸（S）が平行となるように設置されることで、所謂メガソーラーシステムと呼ばれる大規模な太陽光発電システム（1）が構築される。
【００７２】
〈アクチュエータ機構〉
図１０に示すように、アクチュエータ機構（40）は、アクチュエータ（50）と、アクチュエータ（50）の出力軸（55）の回転力を太陽光発電パネル（11）に伝達する伝達機構（43）とを有している。
【００７３】
アクチュエータ（50）は、本実施形態では、回転式の空気圧アクチュエータによって構成されている。アクチュエータ（50）の詳細な構造については後述するが、空気圧によって出力軸（55）を回転させることによって回転力を出力するように構成されている。
【００７４】
アクチュエータ（50）には、空気圧縮機（45）と、空気タンク（46）と、三方向切換弁（47）とが接続されている。三方向切換弁（47）の切り換え動作は、制御部（48）によって制御される。
【００７５】
空気圧縮機（45）は、所定圧力の圧力空気を吐出するように構成されている。空気タンク（46）は、空気圧縮機（45）から吐出された圧力空気を貯留し、圧力空気を三方向切換弁（47）に供給している。
【００７６】
三方向切換弁（47）は、制御部（48）による制御に応答して、アクチュエータ（50）と、空気タンク（46）又は大気との間の空気通路を切り換え可能に構成されている。
【００７７】
伝達機構（43）は、基端がアクチュエータ（50）の出力軸（55）に連結された第１伝達部材（43a）と、第１伝達部材（43a）の先端に基端がピン部材によって連結され、先端が回動部材（13）の桟部材（15）にピン部材によって連結された第２伝達部材（43b）とを有している。
【００７８】
アクチュエータ（50）が作動すると、第１伝達部材（43a）が出力軸（55）の回転に伴って出力軸（55）周りに回動し、これにより、第２伝達部材（43b）の基端が出力軸（55）周りに回動する。このような第２伝達部材（43b）により、太陽光発電パネル（11）の第２伝達部材（43b）の先端との連結部分が押し上げられる又は引き下げられる。
【００７９】
このようにして、出力軸（55）の回転力が伝達機構（43）によって太陽光発電パネル（11）に伝達され、太陽光発電パネル（11）が回転軸（S）周りに回動する。
【００８０】
〈アクチュエータの構造〉
アクチュエータ（50）は、シリンダ本体（51）と、シリンダ本体（51）内に摺動自在に嵌め込まれた左右一対のピストン（52）と、ピストン（52）の移動に伴って太陽光発電パネル（11）を揺動させる出力軸（55）とを有する。
【００８１】
シリンダ本体（51）には、第１の給排口（51a）及び第２の給排口（51b）が形成されている。左右一対のピストン（52）は、シリンダ本体（51）の内部空間が３つの空間に区画されるように所定の間隔をあけて配置されている。これにより、シリンダ本体（51）の左側壁と左側のピストン（52）との間、及びシリンダ本体（51）の右側壁と右側のピストン（52）との間の２つの空間を一体とした第１のシリンダ室（56）が形成され、左右一対のピストン（52）の間に第２のシリンダ室（57）が形成される。
【００８２】
第１の給排口（51a）は、第１のシリンダ室（56）に連通している。第２の給排口（51b）は、第２のシリンダ室（57）に連通している。
【００８３】
第２のシリンダ室（57）には、左右一対の可動支持板（53）と、可動支持板（53）に取り付けられた係合ピン（53a）と、駆動板（54）とが配設されている。
【００８４】
左右一対の可動支持板（53）は、細長の矩形板状に形成され、シリンダ本体（51）の幅方向において互いに対向するように配置されている。また、左右一対の可動支持板（53）の基端部は、左右一対のピストン（52）にそれぞれ固定されている。
【００８５】
係合ピン（53a）は、左右一対の可動支持板（53）の先端部にそれぞれ立設されている。駆動板（54）は、細長の矩形板状に形成され、第２のシリンダ室（57）の中央部に配置されている。また、駆動板（54）の両端部には、係合ピン（53a）と係合可能な凹状の係合溝（54a）がそれぞれ形成されている。
【００８６】
出力軸（55）は、その軸心が駆動板（54）に対して垂直となるように、シリンダ本体（51）を貫通して駆動板（54）の中央部に固定されている。出力軸（55）の一端部及び他端部は、シリンダ本体（51）の一端面及び他端面からそれぞれ突出するように延びている。
【００８７】
第１の給排口（51a）が空気タンク（46）と連通し、第２の給排口（51b）が大気と連通すると、第１の給排口（51a）から第１のシリンダ室（56）内に圧力空気が供給され、第２のシリンダ室（57）から第２の給排口（51b）を経由して大気に圧力空気が排出される。
【００８８】
これにより、左右一対のピストン（52）は、互いに近づく方向に移動する。このとき、左右一対の可動支持板（53）も互いに近づく方向に移動する。そして、可動支持板（53）の先端部に設けられた係合ピン（53a）と駆動板（54）の係合溝（54a）との係合により、駆動板（54）及び出力軸（55）が反時計回りに回転（揺動）する。
【００８９】
一方、第１の給排口（51a）が大気と連通し、第２の給排口（51b）が空気タンク（46）と連通すると、空気タンク（46）から第２の給排口（51b）を経由して第２のシリンダ室（57）に圧力空気が供給され、第１のシリンダ室（56）から第１の給排口（51a）を経由して大気に圧力空気が排出される。
【００９０】
これにより、左右一対のピストン（52）は、互いに離間する方向に移動する。このとき、左右一対の可動支持板（53）も互いに離間する方向に移動する。そして、可動支持板（53）の先端部に設けられた係合ピン（53a）と駆動板（54）の係合溝（54a）との係合により、駆動板（54）及び出力軸（55）が時計回りに回転（揺動）する。
【００９１】
（太陽光パネルユニットの設置方法）
複数の太陽光パネルユニット（10）は、以下のような設置工程、連結工程、閉塞工程、仮保持工程、及び取付工程を順に行うことによって、設置される。
【００９２】
〈設置工程〉
設置工程では、図１１に示すように、設置現場の地中に支柱（20）を埋設することで、東西方向に一直線状に並ぶように複数の支持架台（12）を設置する。
【００９３】
〈連結工程〉
連結工程では、複数の支持架台（12）同士を連結ロッド（26）を用いて連結する。これにより、アクチュエータ（50）の動作に連動して複数の支持架台（12）が回転軸（S）周りに回動する。また、連結ロッド（26）の重量が支持架台（12）の回動部材（13）に加わることにより、回動部材（13）の重心位置が低くなるので、回動部材（13）を水平姿勢で安定させることができる。
【００９４】
〈閉塞工程〉
閉塞工程では、図１０に示すように、アクチュエータ（50）の第１の給排口（51a）及び第２の給排口（51b）の両方が閉塞されるように、三方向切換弁（47）を切り換える。これにより、アクチュエータ（50）の空気バネ作用によって、支持架台（12）の回動部材（13）を水平姿勢に維持することができる。なお、閉塞工程を行う前に、アクチュエータ（50）によって、太陽光発電パネル（11）の設置作業を行いやすい姿勢に支持架台（12）を傾けておいてもよい。
【００９５】
〈仮保持工程〉
仮保持工程では、図１１に示すように、支持架台（12）の桟部材（15）に太陽光発電パネル（11）を載置する。このとき、支持架台（12）の回動部材（13）は、アクチュエータ（50）の空気バネ作用によって水平姿勢に維持される。そして、支持架台（12）の回転軸（S）は、南北方向において北側ほど高くなるように傾斜しているので、太陽光発電パネル（11）は、桟部材（15）に沿って傾斜方向の下側（南側）に移動する。これにより、太陽光発電パネル（11）の外縁部は、補強部材（17）の下端部に立設した規制部（19）に当接することで、太陽光発電パネル（11）を支持架台（12）に仮保持する。
【００９６】
〈取付工程〉
取付工程では、仮保持工程で仮保持されている太陽光発電パネル（11）を支持架台（12）に取り付ける。具体的な取付構造については、前記実施形態１と同様である。
【００９７】
このような手順で太陽光発電パネル（11）を支持架台（12）に載置することで、アクチュエータ（50）の空気バネ作用によって、支持架台（12）を水平姿勢に維持することができるとともに、太陽光発電パネル（11）が支持架台（12）から滑り落ちないように作業者が常に支えておく必要が無く、設置作業を容易に行うことができる。
【００９８】
《その他の実施形態》
前記実施形態については、以下のような構成としてもよい。
【００９９】
本実施形態では、桟部材（15）の幅方向の両側に規制部（19）をそれぞれ設けているが、桟部材（15）の幅方向の一方側にのみ設けても構わない。この場合には、太陽光発電パネル（11）を支持架台（12）に載置させたときに、支持架台（12）の回動部材（13）を規制部（19）が設けられている側に傾けるようにすればよい。
【産業上の利用可能性】
【０１００】
以上説明したように、本発明は、太陽光発電パネルの設置作業を容易に行うことができるという実用性の高い効果が得られることから、きわめて有用で産業上の利用可能性は高い。
【符号の説明】
【０１０１】
10    太陽光パネルユニット
11    太陽光発電パネル
12    支持架台
19    規制部
26    連結ロッド
30    固定治具
50    アクチュエータ
51a   第１の給排口
51b   第２の給排口
S    回転軸
【図１】
2016127666.tif 000003
【図２】
2016127666.tif 000004
【図３】
2016127666.tif 000005
【図４】
2016127666.tif 000006
【図５】
2016127666.tif 000007
【図６】
2016127666.tif 000008
【図７】
2016127666.tif 000009
【図８】
2016127666.tif 000010
【図９】
2016127666.tif 000011
【図１０】
2016127666.tif 000012
【図１１】
2016127666.tif 000013